(57)【要約】【課題】ストリップとワイヤとを備える装飾用リボンであってストリップ上におけるワイヤの保持の態様が形態上の美観を損ねない装飾用リボンを提供すること。【解決手段】装飾用リボン（１０）は、熱可塑性樹脂製のストリップ（１２）と、ストリップ上に配置されストリップの長手方向へ伸びる少なくとも１つの熱可塑性樹脂製のワイヤ（１４）とを含む。ワイヤ（１４）はストリップ（１２）に超音波溶着されている。【選択図】図２
0003203219.tif 000002
【実用新案登録請求の範囲】
【請求項１】
熱可塑性樹脂製のストリップと、
前記ストリップ上に配置され該ストリップの長手方向へ伸びる少なくとも１つの熱可塑性樹脂製のワイヤとを含み、
前記ワイヤは、前記ストリップに超音波溶着されている、装飾用リボン。
【請求項２】
前記ワイヤは０．２５ｍｍの直径を有する、請求項１に記載の装飾用リボン。
【請求項３】
前記ストリップ及び前記ワイヤは共にナイロン製又はポリエステル製である、請求項１又は２に記載の装飾用リボン。
【請求項４】
２つのワイヤがそれぞれ前記ストリップの両側縁に沿って伸びている、請求項１〜３のいずれか１項に記載の装飾用リボン。
【請求項５】
前記ストリップは織物からなる、請求項１〜４のいずれか１項に記載の装飾用リボン。
【考案の詳細な説明】
【技術分野】
【０００１】
本考案は、蝶結びのような造花の形成（造形）、贈答品のような物品の装飾、部屋の飾り付け等に用いられる装飾用リボンに関する。
【背景技術】
【０００２】
従来、物品の装飾用造花を形成するために使用されるリボンとして、ストリップと該ストリップに取り付けられたワイヤとからなるリボンが提案されている。ストリップは本体と、折り返され、本体に固定された耳部とを有し、本体と耳部との間の隙間にワイヤが保持されている（後記特許文献１参照）。
【０００３】
このリボンによれば、ワイヤが有する弾性を利用してストリップに張りを与え、あるいは、ワイヤの塑性を利用してストリップを折り曲げることができることから、形成される造花をより立体的な外観を有するものに仕上げることができ、また、リボン自体を例えば波形に折れ曲がり、あるいは螺旋状に湾曲するものとし、これを部屋の飾り付けに用いることができる。
【０００４】
ところで、前記従来のリボンには、ワイヤを保持するために折り返されたストリップの耳部が、形態上、リボンの美観を損ねるという難点がある。
【先行技術文献】
【特許文献】
【０００５】
【特許文献１】特開２００２−８８５４９号公報
【考案の概要】
【考案が解決しようとする課題】
【０００６】
本考案の目的は、ストリップとワイヤとを備える装飾用リボンであって前記ストリップ上における前記ワイヤの保持の態様が形態上の美観を損ねない装飾用リボンを提供することにある。
【課題を解決するための手段】
【０００７】
本考案に係る装飾用リボンは、熱可塑性樹脂製のストリップと、該ストリップ上に配置され該ストリップの長手方向へ伸びる少なくとも１つの熱可塑性樹脂製のワイヤとを含み、前記ワイヤは前記ストリップに超音波溶着されている。
【０００８】
超音波溶着前の前記ワイヤは、好ましくは０．２５ｍｍの直径を有する。前記ストリップ及び前記ワイヤは、例えば、共にナイロン製、あるいはポリエステル製である。本考案の一形態において、２つのワイヤがそれぞれ前記ストリップの両側縁（両耳）に沿って伸びている。前記ストリップは、例えば織物からなる。
【考案の効果】
【０００９】
本考案にあっては、装飾用リボンを構成するストリップ及びワイヤが共に熱可塑性樹脂製のものからなり、前記ワイヤは前記ストリップに超音波溶着されこれにより前記ストリップ上に保持されている。前記超音波溶着は、前記ストリップと前記ワイヤとの相互接触面において生じ、また、超音波溶着され前記ストリップ上を伸びる前記ワイヤは前記装飾用リボンの模様の一部としての機能を発揮する。このことから、前記ストリップは形態的又は外観的な変更をほとんど受けず、装飾用リボンの美観は毀損されない。
【００１０】
また、前記ワイヤは前記ストリップに溶着され該ストリップと一体をなすことから、前記ワイヤが有する弾性又は塑性を前記ストリップに直接に及ぼし、これにより、前記装飾用リボンの造形をより繊細に行うことができる。
【００１１】
さらに、前記ストリップ上への前記ワイヤの超音波溶着は、前記従来におけるストリップの耳部の折り返し作業を必要とせず、このため、装飾用リボンの製造に要する労力及び時間を大幅に節減することができる。
【図面の簡単な説明】
【００１２】
【図１】装飾用リボンの部分平面図であって、これを構成するストリップの両面のうち、ワイヤが超音波溶着された一方の面を示す。
【図２】図１の線２−２に沿って得た拡大断面図である。
【考案を実施するための形態】
【００１３】
図１を参照すると、蝶結びのような造花の形成（造形）、贈答品のような物品（装飾対象）の装飾、部屋の飾り付け等に用いられる装飾用リボンの一部が全体に符号１０で示されている。
【００１４】
装飾用リボン１０は熱可塑性樹脂製のストリップ１２と、該ストリップの両面１２ａ、１２ｂのうちの一方の面１２ａ上に配置されかつストリップ１２に超音波溶着され、これによりストリップ１２上に保持され該ストリップの長手方向へ直線的に伸びる２つの熱可塑性樹脂製のワイヤ１４とを備える。
【００１５】
図示の例において、両ワイヤ１４は、それぞれ、ストリップ１２の両側縁（両耳）１２ｃから間隔をおいてかつ両側縁１２ｃに沿って伸びている。各ワイヤ１４とストリップ１２の各側縁１２ｃとの間の間隔の大きさは任意に設定することができる。図示の例に代えて、ワイヤ１４の数を１つとし、あるいは３つ以上とすることができる。また、ワイヤ１４は、直線的に伸びる図示の例に代えて、例えば、ストリップ１２の長手方向へジグザグにあるいは波形に伸びるものとすることができる。
【００１６】
ストリップ１２を構成する熱可塑性樹脂と、ワイヤ１４を構成する熱可塑性樹脂とは互いに超音波による溶着適合性を有する。前記熱可塑性樹脂として、例えばナイロン又はポリエステルを選択することができる。
【００１７】
ストリップ１２は、織物、不織布、テープ等からなる。ストリップ１２の幅寸法は、造形される物や装飾対象の大きさ、飾り付けられる部屋の態様に合わせて、任意に定めることができる。また、ストリップ１２に施される色彩や模様についても任意に定めることができる。さらに、ストリップ１２は、これが非透明であるか、半透明であるか、あるいは透明であるかの別を問わない。
【００１８】
前記超音波溶着を行うに際し、まず、ストリップ１２を平坦面（図示せず）上におき、ストリップ１２の両面１２ａ、１２ｂのうちの一方の面１２ａ上に２つワイヤ１４に置く。このとき、ストリップ１２の他方の面１２ｂは前記平坦面に接している。次に、両ワイヤ１４に超その上から音波溶着機（超音波ウエルダー）の工具ホーン（図示せず）を押し当て、超音波振動を伝達する。これにより、ストリップ１２とワイヤ１４とがこれらの境界面において局所的に溶融し、ワイヤ１４がその一部（図２で見て右半部）を残して、残りの一部（図２で見て左半部）がストリップ１２に減り込み、ストリップ１２とワイヤ１４とが相互に結合される。
【００１９】
その結果、図２に示すように、前記超音波溶着前には平坦であったストリップ１２の一方の面１２ａにワイヤ１４の減り込みにより直線状に伸びる凹部１６が形成され、また、凹部１６内を伸びるワイヤ１４は、超音波溶着前には円形であった横断面形状が全体に長円形を呈するように、変形する。ここにおいて、ストリップ１２の他方の面１２ｂは、超音波溶着時に前記平坦面上におかれるため、平坦に維持される。超音波溶着前のワイヤは、好ましくは、０．２５ｍｍの直径を有する。
【００２０】
超音波溶着され、これによりストリップ１２上に取り付けられ又は保持されたワイヤ１４は、ストリップ１２の形態又は外観をほとんど変更せず、却ってストリップ１２の一方の面１２ａに施された装飾用リボン１０の模様の一部をなす。
【００２１】
また、ワイヤ１４はストリップ１２に超音波溶着され該ストリップと一体をなしていることから、ワイヤ１４が有する弾性又は塑性はストリップ１２に直接に及ぶ。このため、装飾用リボン１０自体、又は、装飾用リボン１０による造形に、ストリップ１２の張りのある状態又は折れ曲がりの状態がより繊細に表れる。
【００２２】
さらに、ストリップ１２上へのワイヤ１４の前記超音波溶着には、前記従来におけるストリップの耳部の折り返し作業を要しない。このことから、装飾用リボン１０の製造に要する労力及び時間を大幅に節減することができる。
【符号の説明】
【００２３】
１０  装飾用リボン
１２  ストリップ
１２ａ、１２ｂ  ストリップの一方の面及び他方の面
１２ｃ  ストリップの側縁（耳）
１４  ワイヤ
１６  ストリップとワイヤとの境界面
１８  平坦な面
【図１】
0003203219.tif 000003
【図２】
0003203219.tif 000004